(57)【要約】【課題】  災害等により停電が発生し、電動操作機構部を作動させることができない場合であっても、そのまま通常通り使用できるようにして利用者の利便性を確保するとともに、追加する構造の簡略化及び低コスト化を図る。【解決手段】  電動操作機構部３に加えて、手動により操作可能な手動操作部４と、操作ハンドルＶｈ又はフラッシュバルブＶｍに係合させる係合部５と、手動操作部４の手動操作に基づく変位を係合部５に伝達する変位伝達部６とを備え、手動操作部４の操作により、フラッシュバルブＶｍを開側に切換えて便器Ｂに洗浄水を流し、かつ操作ハンドルＶｈの手動操作を解除し、フラッシュバルブＶｍを閉側に切換えて便器Ｂに洗浄水を流すのを停止させる手動操作機構部７を設ける。【選択図】  図１
2013044190.tif 000002
【特許請求の範囲】
【請求項１】
電動駆動部により、フラッシュバルブの操作ハンドルを操作し、前記フラッシュバルブを開側に切換えて便器に洗浄水を流し、かつ当該操作ハンドルの操作を解除し、前記フラッシュバルブを閉側に切換えて便器に洗浄水を流すのを停止させる電動操作機構部を備える水洗トイレの流水システムにおいて、前記電動操作機構部に加えて、手動により操作可能な手動操作部と、前記操作ハンドル又は前記フラッシュバルブに係合させる係合部と、前記手動操作部の手動操作に基づく変位を前記係合部に伝達する変位伝達部とを備え、前記手動操作部の操作により、前記フラッシュバルブを開側に切換えて便器に洗浄水を流し、かつ前記操作ハンドルの手動操作を解除し、前記フラッシュバルブを閉側に切換えて便器に洗浄水を流すのを停止させる手動操作機構部を設けたことを特徴とする水洗トイレの流水システム。
【請求項２】
前記操作ハンドルを操作前の位置に戻すリターンスプリングを備えるとともに、このリターンスプリングは、フラッシュバルブに内蔵した既存のリターンスプリングと交換し、かつ当該既存のリターンスプリングよりも弾性力を小さく選定したリターンスプリングを用いることを特徴とする請求項１記載の水洗トイレの流水システム。
【請求項３】
前記変位伝達部は、フレキシブルなワイヤ部材を用いることを特徴とする請求項１又は２記載の水洗トイレの流水システム。
【請求項４】
前記手動操作部は、手動により押操作可能な押ボタンを用いることを特徴とする請求項１，２又は３記載の水洗トイレの流水システム。
【請求項５】
前記押ボタンは、前記変位伝達部及び前記係合部を兼ねることを特徴とする請求項４記載の水洗トイレの流水システム。
【請求項６】
前記手動操作部は、手動により引操作可能なツマミを用いることを特徴とする請求項１，２又は３記載の水洗トイレの流水システム。
【発明の詳細な説明】
【技術分野】
【０００１】
本発明は、電動駆動部によりフラッシュバルブの操作ハンドルを操作して便器に洗浄水を流すための水洗トイレの流水システムに関する。
【背景技術】
【０００２】
一般に、オフィスビルや公共施設等の水洗トイレ、特に、和式大便器を用いた水洗トイレの場合、一回に使用する洗浄水の量は、通常、１０リットルを超える大量の水道水が使用されるため、無駄な流水をできるだけ排することが、節水対策において重要な課題となる。
【０００３】
したがって、従来より、節水機能を付加した水洗トイレも知られており、既に、本出願人も、このような節水機能を有する水洗トイレの流水システムを特許文献１により提案した。この流水システムは、フラッシュバルブの操作ハンドルを少なくとも開位置に操作して便器に洗浄水を流す水洗トイレの流水システムであって、駆動モータの回転を運動変換機構により運動変換して、操作ハンドルを開位置又は閉位置に選択的に変位させる駆動部と、この駆動部の出力部に係合する係合部を形成した操作ハンドルとを有する駆動機構を備えるとともに、少なくとも、予め設定した条件により擬音を発生させ、かつ駆動部を駆動制御する制御手段と、この制御手段の制御に係わるデータを記憶するデータ記憶手段とを有するコントロールユニットを備えて構成したものである。これにより、実際の使用状態を的確かつ容易に把握でき、データ解析を行うなどにより、流水システムの本来の機能や利便性を確保しつつ、より発展させた節水対策を行ったり節水意識を高めることができる。
【先行技術文献】
【特許文献】
【０００４】
【特許文献１】特開２００７−９２３４８号公報
【発明の概要】
【発明が解決しようとする課題】
【０００５】
しかし、上述した従来における水洗トイレの流水システムは、駆動モータの回転を運動変換機構により運動変換して、操作ハンドルを開位置又は閉位置に選択的に変位させる電動式の駆動部を備えるため、停電時には作動させることができない。したがって、水洗トイレを使用したとしても、洗浄水を流すことができないため、衛生上及び環境上の悪化を招き、使用禁止措置を採らざる得ない。
【０００６】
一方、予め準備した予備バッテリ等に接続したり、或いは一時的に流水システムの一部を取り外して操作ハンドルを手で操作できるようにするなどの、幾つかの対策も考えられるが、全体の構成が大掛かりとなりコスト面で不利になるとともに、停電時における準備や操作が大変となる。特に、水洗トイレによっては、流水システムを壁の裏側の空間に設置する場合もあるため、この場合には、予め壁に開閉扉を設け、停電時に、この開閉扉を開けて操作ハンドルを操作できるようにする必要があり、管理者にとってのコストアップ要因になるとともに、利用者にとっても利便性に難があるという解決すべき課題が存在した。
【０００７】
本発明は、このような背景技術に存在する課題を解決した水洗トイレの流水システムの提供を目的とするものである。
【課題を解決するための手段】
【０００８】
本発明は、上述した課題を解決するため、電動駆動部２により、フラッシュバルブＶｍの操作ハンドルＶｈを操作し、フラッシュバルブＶｍを開側に切換えて便器Ｂに洗浄水を流し、かつ当該操作ハンドルＶｈの操作を解除し、フラッシュバルブＶｍを閉側に切換えて便器Ｂに洗浄水を流すのを停止させる電動操作機構部３を備える水洗トイレＴの流水システム１を構成するに際して、電動操作機構部３に加えて、手動により操作可能な手動操作部４と、操作ハンドルＶｈ又はフラッシュバルブＶｍに係合させる係合部５と、手動操作部４の手動操作に基づく変位を係合部５に伝達する変位伝達部６とを備え、手動操作部４の操作により、フラッシュバルブＶｍを開側に切換えて便器Ｂに洗浄水を流し、かつ操作ハンドルＶｈの手動操作を解除し、フラッシュバルブＶｍを閉側に切換えて便器Ｂに洗浄水を流すのを停止させる手動操作機構部７を設けたことを特徴とする。
【０００９】
この場合、発明の好適な態様により、操作ハンドルＶｈを操作前の位置に戻すリターンスプリング１１を備えるとともに、このリターンスプリング１１は、フラッシュバルブＶｍに内蔵した既存のリターンスプリングと交換し、かつ当該既存のリターンスプリングよりも弾性力を小さく選定したリターンスプリング１１を用いることができる。一方、変位伝達部６には、フレキシブルなワイヤ部材１２を用いることができる。なお、手動操作部４には、手動により押操作可能な押ボタン４ｂを用いてもよいし、手動により引操作可能なツマミ４ｔを用いてもよい。この際、押ボタン４ｂは、変位伝達部６及び係合部５を兼ねることができる。
【発明の効果】
【００１０】
このような構成を有する本発明に係る水洗トイレの流水システム１によれば、次のような顕著な効果を奏する。
【００１１】
（１）  電動操作機構部３に加えて、手動操作部４の操作により、フラッシュバルブＶｍを開側に切換えて便器Ｂに洗浄水を流し、かつ操作ハンドルＶｈの手動操作を解除し、フラッシュバルブＶｍを閉側に切換えて便器Ｂに洗浄水を流すのを停止させる手動操作機構部７を設けたため、例えば、災害等により停電が発生し、電動操作機構部３を作動させることができない場合であっても、使用禁止措置を採ることなく、通常通り使用することができる。
【００１２】
（２）  手動により操作可能な手動操作部４と、操作ハンドルＶｈ又はフラッシュバルブＶｍに係合させる係合部５と、手動操作部４の手動操作に基づく変位を係合部５に伝達する変位伝達部６とを備えて構成するため、簡易な追加構成で足り、容易かつ低コストに実施できるとともに、停電時には、特に準備をすることなくそのままの状態で操作できるなど、利用者の利便性を確保できる。
【００１３】
（３）  好適な態様により、操作ハンドルＶｈを操作前の位置に戻すリターンスプリング１１を備えるとともに、このリターンスプリング１１は、フラッシュバルブＶｍに内蔵した既存のリターンスプリングと交換し、かつ当該既存のリターンスプリングよりも弾性力を小さく選定したリターンスプリング１１を用いれば、電動操作機構部３の負荷の軽減化により、消費電力の低減、更にはフラッシュバルブＶｍの周辺構成の簡略化，低コスト化及び小型化に寄与できるとともに、手動操作機構部７の操作力軽減を含む操作性の向上に寄与できる。
【００１４】
（４）  好適な態様により、変位伝達部６に、フレキシブルなワイヤ部材１２を用いれば、手動操作部４の配設位置や向き（角度）等を任意に選定できるため、設計自由度の向上及び施工性の向上に寄与できる。
【００１５】
（５）  好適な態様により、手動操作部４として、手動により押操作可能な押ボタン４ｂを用いれば、最も一般的かつ汎用的な操作手段を構成できるため、良好な操作性を確保できるとともに、利用者にとって迷うことなく容易に操作できる。
【００１６】
（６）  好適な態様により、押ボタン４ｂに、変位伝達部６及び係合部５を兼用させれば、別途の変位伝達部６及び係合部５が不要となるため、更なる構成の簡略化，省スペース化及び低コスト化に寄与できる。
【００１７】
（７）  好適な態様により、手動操作部４として、手動により引操作可能なツマミ４ｔを用いれば、手動操作部４の変位をより確実かつ強力に伝達できるとともに、変位伝達部６の構成簡略化及び省スペース化にも寄与できる。したがって、手動操作機構部７の配設スペースが制限され、押ボタン４ｂを用いた手動操作機構部７を配設できない場合にも設置可能となる。
【図面の簡単な説明】
【００１８】
【図１】本発明の好適実施形態に係る水洗トイレの流水システムの一部抽出拡大断面を含む構成図、
【図２】同流水システムを備える水洗トイレの全体構成図、
【図３】同流水システムの電気系統ブロック図、
【図４】同流水システムの全体の動作を説明するためのフローチャート、
【図５】同流水システムに備える押ボタンを押操作した状態を示す構成図、
【図６】同流水システムに備える手動操作部の変更例を示す構成図、
【図７】本発明の変更実施形態に係る流水システムの一部断面構成図、
【図８】図７に示した流水システムの変更例を示す一部断面構成図、
【図９】図１に示した流水システムの変更例を示す一部断面構成図、
【図１０】本発明の他の変更実施形態に係る流水システムの一部断面構成図、
【発明を実施するための形態】
【００１９】
次に、本発明に係る好適実施形態を挙げ、図面に基づき詳細に説明する。
【００２０】
まず、本実施形態に係る流水システム２の構成について、図１〜図３を参照して具体的に説明する。
【００２１】
図２は、トイレブースＲに設置された水洗トイレＴを示し、Ｂは和式の便器である。この水洗トイレＴは、便器Ｂに洗浄水（水道水）を流す流水システム１を備えている。例示のトイレブースＲは壁Ｒｗにより囲まれており、流水システム１における流水系は、図１及び図２に示すように、トイレブースＲの前方に位置する壁Ｒｗの向こう側（裏側）に配設してある。
【００２２】
図１に示す流水システム１において、Ｖｍはフラッシュバルブであり、一側の側面に配した流水入口Ｖｍｉ，底部に配した流水出口Ｖｍｏ及び他側（反対側）の側面に配した操作ハンドル突出口Ｖｍｒを有する。この場合、流水入口Ｖｍｉは、図２に示すように、止水栓２２を介して上流側の水道管２３に接続するとともに、流水出口Ｖｍｏはバキュームブレーカ２４を介して便器Ｂ側に接続する。また、図１に示すように、操作ハンドル突出口Ｖｍｒからは操作ハンドルＶｈが突出し、この操作ハンドルＶｈはフラッシュバルブＶｍに内蔵する弁機構側に係合する。なお、水道管２３，止水栓２２，フラッシュバルブＶｍ，バキュームブレーカ２４，便器Ｂに至る流水系は既存の流水経路と同じである。
【００２３】
一方、図２に示すように、流水システム１には、基本構成として、駆動ユニットＵｄ及びコントロールユニットＵｃを含む電動操作機構部３を備えるとともに、停電用の手動操作機構部７を備える。駆動ユニットＵｄは、図１に示すように、壁Ｒｗの裏側に設置させたフラッシュバルブＶｍにおける操作ハンドル突出口Ｖｍｒに、一端側を固定することにより操作ハンドルＶｈの真上に位置させる。また、本実施形態の場合、既設のフラッシュバルブＶｍはそのまま利用し、図１に一部抽出拡大断面で示すように、フラッシュバルブＶｍに内蔵する既存のリターンスプリングのみを新たなリターンスプリング１１に交換する。
【００２４】
この場合、新たなリターンスプリング１１の弾性力は、既存のリターンスプリングの弾性力よりも小さくなるように選定する。このような弾性力を小さく選定したリターンスプリング１１を用いれば、電動操作機構部３の負荷の軽減化により、消費電力の低減、更にはフラッシュバルブＶｍの周辺構成の簡略化，低コスト化及び小型化に寄与できるとともに、手動操作機構部７の操作力軽減を含む操作性の向上に寄与できる利点がある。なお、リターンスプリング１１は、図１に示すように、フラッシュバルブＶｍに内蔵し、プッシュバー２５に装填することにより、当該プッシュバー２５を図中右方向へ付勢する機能を備える。これにより、非操作時には、プッシュバー２５に当接する操作ハンドルＶｈをほぼ水平状態に保持するとともに、フラッシュバルブＶｍを閉側に切換える（保持する）ように機能する。
【００２５】
また、駆動ユニットＵｄは、駆動モータ２６及びこの駆動モータ２６の回転を運動変換する運動変換機構２７を含む電動駆動部２を備え、この電動駆動部２の出力となる運動変換機構２７の出力により、下方に突出する操作体２８を昇降させることができる。この場合、駆動モータ２６は、特に種類を問わないが、後述するコントロールユニットＵｃにより正回転制御及び逆回転制御可能な駆動モータを選定する。例示の駆動モータ２６はＤＣモータである。なお運動変換機構２７には、減速機構，及び回転−直進変換機構が含まれる。このような構成により、駆動モータ２６を作動させ、操作体２８を下降位置まで下降変位させれば、操作体２８が操作ハンドルＶｈの上面に当接して当該操作ハンドルＶｈを押し下げるため、フラッシュバルブＶｍは開側に切換わり、便器Ｂに洗浄水を流すことができる。一方、操作体２８を下降位置から上昇位置まで上昇変位させれば、操作ハンドルＶｈは水平状態に復帰できるため、フラッシュバルブＶｍは閉側に切換わり、便器Ｂに洗浄水を流すのを停止させることができる。
【００２６】
他方、コントロールユニットＵｃは、図２に示すように、トイレブースＲに臨む壁Ｒｗの表面に取付ける。コントロールユニットＵｃは、ケーシング３１を備え、前面には、音声及び擬音を出力するスピーカ３２を配設するとともに、利用者の存在を検知する人検知センサ３４，非接触スイッチを用いた手動操作スイッチ３５及び後述する外部機器Ｕｏに対して交信を行う赤外線送受のための送受信部３６等を配した入出力パネル３３を備える。この入出力パネル３３は半透明カバーにより覆われている。手動操作スイッチ３５は前方に手を翳すことによりＯＮさせることができる。そして、このコントロールユニットＵｃは、ケーブル３７を介して上述した駆動ユニットＵｄに接続する。
【００２７】
なお、Ｕｓは任意の場所に取付けることができる外部操作スイッチを示す。この外部操作スイッチＵｓは無線によりコントロールユニットＵｃに接続される。この外部操作スイッチＵｓはオプションとして設置することができ、必ずしも設置を要するものではない。上述したように、コントロールユニットＵｃには、外部操作スイッチＵｓと同様の機能を有する手動操作スイッチ３５を備えているが、通常、コントロールユニットＵｃは、トイレブースＲの入口から見て、奥の壁面下寄り位置に配するため、必ずしも操作しやすい場所（位置）に存在するものではない。しかし、外部操作スイッチＵｓは、任意の場所に取付けることができるため、例えば、清掃者が、自分の操作しやすい位置であって、利用者が無闇に操作できない位置を選定して取付けることができる。外部操作スイッチＵｓは、上述した手動操作スイッチ３５と同じ非接触スイッチを用いることができる。したがって、外部操作スイッチＵｓの前に手を翳すことによりＯＮさせることができる。なお、Ｕｓｅは他の位置に取付けた場合の外部操作スイッチを示す。一方、仮想線で示すＵｏは、管理者が携帯可能な携帯端末等の外部機器であり、コントロールユニットＵｃに対して無線により交信することができる。この外部機器Ｕｏは、表示部４１及び操作部４２等を備えている。
【００２８】
図３に、上述した駆動ユニットＵｄ，コントロールユニットＵｃ，外部操作スイッチＵｓ及び外部機器Ｕｏの電気系統ブロック図を示す。同図中、Ｕｃはコントロールユニットであり、マイクロコンピュータ（マイコン）等を利用した制御部５１を内蔵する。制御部５１にはメモリ５２が付属する。メモリ５２は、予め設定したシーケンスプログラムを格納するとともに、各種データＤを記憶するデータ記憶手段１４を構成する。また、５３はメモリに登録した音声データを用いてスピーカ３２から音声を出力する音声発生部、５４はメモリに登録した擬音データを用いてスピーカ３２から擬音を出力する擬音発生部であり、それぞれ制御部５１に接続する。この場合、音声データにはガイダンスデータが含まれるとともに、擬音データには流水音データが含まれる。その他、コントロールユニットＵｃにおいて、３４は人検知センサ、３５は手動操作スイッチ、５５は無線送信部及び無線受信部を含む無線通信部であり、それぞれ制御部５１に接続する。この無線通信部５７には、前述した送受信部３６が含まれる。なお、５６は、ＡＣ１００〔Ｖ〕電源に接続して直流出力を得る直流電源部である。
【００２９】
このような構成を有するコントロールユニットＵｃは、予め設定した条件により擬音を発生させ、かつ駆動部４を駆動制御する制御手段１３を構成するとともに、メモリ５２（データ記憶手段１４）に記憶したデータＤを無線により外部機器Ｕｏに転送可能なデータ通信手段１５を構成する。このデータＤには、操作ハンドルＶｈに対する操作の回数に係わるデータ及び操作時の条件に係わるデータが含まれる。
【００３０】
また、図３において、駆動モータ２６はケーブル３７を介して制御部５１に接続する。外部操作スイッチＵｓは、制御部６２を備えるとともに、この制御部６２に接続した無線送信機能を有する無線通信部６３及び非接触スイッチ６４を備える。なお、６５は電池等を用いた電源部である。さらに、外部機器Ｕｏは、制御部７１を備えるとともに、この制御部７１に接続したメモリ７２，無線送信部及び無線受信部を含む無線通信部７３，入出力ポート７４，バッテリ等を用いた電源部７５を備える。
【００３１】
他方、本実施形態に係る流水システム１は、このような基本構成を備える電動操作機構部３に加えて、停電時用の手動操作機構部７を備える。手動操作機構部７は、手動により操作可能な手動操作部４と、操作ハンドルＶｈ又はフラッシュバルブＶｍに係合させる係合部５と、手動操作部４の手動操作に基づく変位を係合部５に伝達する変位伝達部６とを備える。
【００３２】
手動操作部４には、手動により押操作可能な押ボタン４ｂを用いる。押ボタン４ｂは、図１及び図２に示すように、取付パネル８１に配設したユニットとして構成し、取付パネル８１を壁Ｒｗの表面に取付ける。この取付パネル８１には、停電時に使用する押ボタンである旨を表示した表示部８１ｄを設ける。手動操作部４として、このような押ボタン４ｂを用いれば、最も一般的かつ汎用的な操作手段を構成できるため、良好な操作性を確保できるとともに、利用者にとって迷うことなく容易に操作できる利点がある。
【００３３】
変位伝達部６は、取付パネル８１の裏面側に固定したレバー支持部８３とこのレバー支持部８３により中間位置が回動自在に支持された伝達レバー８２を備えるとともに、駆動ユニットＵｄに固定したレバー支持部８５とこのレバー支持部８５により中間位置が回動自在に支持される伝達レバー８４を備える。また、レバー支持部８３とレバー支持部８５間は、フレキシブル性を有するガイドチューブ８６により連結するとともに、ガイドチューブ８６にはフレキシブルなワイヤ部材１２を挿通させ、このワイヤ部材１２の一端を伝達レバー８２の一端側に係止（接続）するとともに、ワイヤ部材１２の他端を伝達レバー８４の一端側に係止（接続）する。
【００３４】
このような構成により、伝達レバー８２の他端側は、押ボタン４ｂの後端に当接するとともに、伝達レバー８４の他端側は、前述した操作ハンドルＶｈの先端に当接する。この場合、特に、伝達レバー８４には梃子機能を持たせる。即ち、伝達レバー８４が支持される支持位置から操作ハンドルＶｈに当接する当接位置までの距離を、伝達レバー８４の支持位置からワイヤ部材１２が係止する位置までの距離よりも短く選定する。これにより、押ボタン４ｂの操作力を軽減できるため、操作性の更なる向上に寄与できる。変位伝達部６に、このようなフレキシブルなワイヤ部材１２を用いれば、手動操作部４の配設位置や向き（角度）等を任意に選定できるため、設計自由度の向上及び施工性の向上に寄与できる利点がある。なお、例示の場合、伝達レバー８４の一側が操作ハンドルＶｈに係合する係合部５を兼ねている。
【００３５】
以上の構成により、手動操作部４の操作により、フラッシュバルブＶｍを開側に切換えて便器Ｂに洗浄水を流し、かつ操作ハンドルＶｈの手動操作を解除し、フラッシュバルブＶｍを閉側に切換えて便器Ｂに洗浄水を流すのを停止させる手動操作機構部７が構成される。
【００３６】
次に、本実施形態に係る流水システム１の使用方法及び動作について、図１〜図５を参照して説明する。
【００３７】
最初に、流水システム１の通常時の動作について、図４に示すフローチャートを参照して説明する。まず、水洗トイレＴを使用していない状態であれば、人検知センサ３４は非検知状態にあり、コントロールユニットＵｃは待機モードを維持する（ステップＳ１）。この際、駆動ユニットＵｄに備える操作体２８は上昇位置にあり、操作ハンドル３は水平状態に保持される。
【００３８】
今、利用者（女性）がトイレブースＲに入り、水洗トイレＴを使用する場合を想定する。利用者が人検知センサ３４の検知エリアに入れば、人検知センサ３４により検知され、この検知結果は、制御部５１に付与される（ステップＳ２，Ｓ３）。そして、検知状態のまま２秒間が経過すれば、音声発生部５３が制御され、スピーカ３２から音声ガイダンス、例えば、「このトイレは自動で水が流れます」等の音声ガイダンスが出力する（ステップＳ４，Ｓ５）。なお、人検知センサ３４が検知状態になった後、２秒間が経過する前に非検知状態になれば、一時的な外乱によるものと考えられるため、待機モードを維持する（ステップＳ４）。
【００３９】
一方、音声ガイダンスの出力が終了すれば、続いて擬音発生部５４が制御され、スピーカ３２から流水音（擬音）が出力する（ステップＳ６）。女性の場合、一般的な水洗トイレでは、トイレ使用中の音を消すために、洗浄水を流し続ける場合も少なくなく、水道水のかなりの無駄を生じている。したがって、流水音（擬音）を流すことによりトイレ使用中の音を消すようにすれば、かなりの節水効果を得ることができる。なお、擬音の音量は設定可能であり、必要により擬音の種類を選択することもできる。そして、利用者が水洗トイレＴの使用を終え、人検知センサ３４の検知エリアから離れれば、人検知センサ３４は非検知状態となるため、この非検知結果は、制御部５１に付与され、擬音の出力が停止する（ステップＳ７，Ｓ８）。このように、擬音は、人検知センサ３４が検知状態になってから非検知状態になるまでの間継続することになる。
【００４０】
また、制御部５１では、内蔵タイマにより、人検知センサ３４が検知状態になった時点から非検知状態になる時点までの時間を計時することにより人検知時間Ｔｄを求め、この人検知時間Ｔｄの判定処理を行う（ステップＳ９）。具体的には、人検知時間Ｔｄを、予め設定した判定時間Ｔｓ（通常、９０〜１２０秒）と比較し、Ｔｄ＜Ｔｓであれば、「小」と判定し、Ｔｓ≦Ｔｄであれば、「大」と判定する。制御部５１では、この判定結果により流水時間を選択して洗浄水を流す（ステップＳ１０，Ｓ１１）。この場合、「小」と判定した場合の流水時間は、１〜４秒に設定できるとともに、「大」と判定した場合の流水時間は、２〜８秒に設定でき、これらの流水時間の長さは予め設定することができる。なお、人検知センサ３４が検知状態になってから所定時間経過しても非検知状態にならないときは、利用者に何らかの異常が発生したことが考えられるため、ステップＳ９における判定処理では、異常発生と判定し、アラーム音を発生させたり、管理室に通報するなどの異常処理を行わせることができる。そして、選択した流水時間が経過すれば、洗浄水を流すのを停止させる制御を行う（ステップＳ１２）。
【００４１】
この場合、洗浄水を流す制御と流すのを停止させる制御は、次のように行われる。まず、洗浄水を流す制御は、制御部５１から駆動モータ２６に対して正回転駆動信号を供給する。これにより、駆動モータ２６が正回転し、操作体２８を下降させるため、この操作体２８により操作ハンドルＶｈが押し下げられる。そして、操作体２８が下降位置まで下降変位すれば、操作ハンドルＶｈは下方へ傾斜した状態となる。これにより、操作ハンドルＶｈの内端も傾斜し、プッシュバー２５を、図１中、左方向に押すことになるため、フラッシュバルブＶｍは開側に切換えられ、洗浄水が便器Ｂに流れる。なお、プッシュバー２５はリターンスプリング１１の弾性に抗して変位する。この際、操作体２８が下降位置まで下降変位すれば、不図示のリミットスイッチ等により検出され、駆動モータ２６に対する停止制御が行われる。他方、洗浄水を流すのを停止させる制御は、制御部５１から駆動モータ２６に対して逆回転駆動信号を供給する。これにより、駆動モータ２６が逆回転し、操作体２８を上昇させるため、上昇位置に達すれば、操作ハンドルＶｈはリターンスプリング１１の弾性により水平状態に復帰するとともに、プッシュバー２５も、図１中、右方向に押されるため、フラッシュバルブＶｍは閉側に切換えられ、洗浄水が便器Ｂに流れるのを停止させる。この際、操作体２８が上昇位置まで上昇変位すれば、不図示のリミットスイッチ等により検出され、駆動モータ２６に対する停止制御が行われる。
【００４２】
なお、操作ハンドルＶｈに対する操作の回数に係わるデータＤと、操作時の条件、即ち、流水時間に係わるデータＤは、メモリ５２に記憶される（ステップＳ１３）。このように、操作ハンドルＶｈに対する操作の回数に係わるデータＤ及び操作時の条件に係わるデータＤを記憶するようにすれば、実際の使用状態をより的確に把握することができる。また、流水システム１に、予め設定した条件により擬音を発生させ、かつ電動駆動部２を駆動制御する制御手段１３と、この制御手段１３の制御に係わるデータを記憶するデータ記憶手段１４とを有するコントロールユニットＵｃを設ければ、実際の使用状態を的確かつ容易に把握できるとともに、携帯端末等により容易かつ確実にデータ収集を行うことができる利点がある。この後、流水システム１をＯＦＦにしない限り、同様の動作（処理）が繰り返される（ステップＳ１４）。
【００４３】
次に、流水システム１の停電時の機能について、図４に示すフローチャートを参照して説明する。
【００４４】
今、待機モード（ステップＳ１）において、停電が発生するとともに、停電中に、利用者が水洗トイレＴを使用する場合を想定する（ステップＳ２，Ｓ２１）。この場合、停電のため、電動操作機構部３は動作せず、前述したステップＳ３〜Ｓ１４までの動作（処理）は行われない。
【００４５】
したがって、利用者が水洗トイレＴを使用した後は、手動操作機構部７により洗浄水を流すことができる。この場合、まず、利用者は、取付パネル８１の表示部８１ｄに従って、押ボタン４ｂを手で押す（ステップＳ２２）。これにより、図５に示すように、押ボタン４ｂは矢印Ｆｐ方向に押されるため、伝達レバー８２の他端側が押ボタン４ｂの後端により押され、伝達レバー８２は、仮想線で示す位置から実線で示す位置に回動変位する。この結果、ワイヤ部材１２の一端が引っ張られる方向に変位し、この変位は、ワイヤ部材１２（変位伝達部６）を介して伝達レバー８４の他端側に伝達される。この結果、図５に示すように、伝達レバー８４は仮想線位置から実線位置に回動変位し、操作ハンドルＶｈの先端は伝達レバー８４の一端側（係合部５）により軸方向（水平方向）に押される。これにより、操作ハンドルＶｈはフラッシュバルブＶｍの内部側に押し込まれるとともに、プッシュバー２５は操作ハンドルＶｈの内端により図１中の左方向に押されるため、フラッシュバルブＶｍは開側に切換えられ、洗浄水が便器Ｂに流れる（ステップＳ２３）。この際、プッシュバー２５はリターンスプリング１１の弾性に抗して変位する。
【００４６】
この後、利用者は、適度な時間を見計らって、押ボタン４ｂを押すのを止めれば、操作ハンドルＶｈは、リターンスプリング１１の弾性により、図１中の右方向に変位（復帰）する。この結果、フラッシュバルブＶｍは閉側に切換えられ、便器Ｂに洗浄水を流すのを停止させる（ステップＳ２４，Ｓ２５）。
【００４７】
よって、このような本実施形態に係る流水システム１によれば、電動操作機構部３に加えて、手動操作部４の操作により、フラッシュバルブＶｍを開側に切換えて便器Ｂに洗浄水を流し、かつ操作ハンドルＶｈの手動操作を解除し、フラッシュバルブＶｍを閉側に切換えて便器Ｂに洗浄水を流すのを停止させる手動操作機構部７を設けたため、例えば、災害等により停電が発生し、電動操作機構部３を作動させることができない場合であっても、使用禁止措置を採ることなく、通常通り使用することができる。また、手動により操作可能な手動操作部４と、操作ハンドルＶｈ又はフラッシュバルブＶｍに係合させる係合部５と、手動操作部４の手動操作に基づく変位を係合部５に伝達する変位伝達部６とを備えて構成するため、簡易な追加構成で足り、容易かつ低コストに実施できるとともに、停電時には、特に準備をすることなくそのままの状態で操作できるなど、利用者の利便性を確保できる。
【００４８】
次に、本発明の変更実施形態及び各部の変更例に係る流水システム１について、図６〜図１０を参照して説明する。
【００４９】
図６は、手動操作部４の変更例を示す。図１〜図５の実施形態では、手動操作部４として、押ボタン４ｂを示したが、図６は、手動により引操作可能なツマミ４ｔを用いた例を示す。この場合、利用者は、手でツマミ４ｔを持ち、矢印Ｆｈ方向に引っ張れば、ワイヤ部材１２を引っ張る方向に変位させることができ、図１〜図５の実施形態の場合と同様に機能させることができる。この変更例では、伝達レバー８２及びレバー支持部８３が不要となる。このように、引操作可能なツマミ４ｔを用いれば、手動操作部４の変位をより確実かつ強力に伝達できるとともに、変位伝達部６の構成簡略化及び省スペース化にも寄与できる。したがって、手動操作機構部７の配設スペースが制限され、押ボタン４ｂを用いた手動操作機構部７を配設できない場合にも設置可能となる利点がある。
【００５０】
図７に示す変更実施形態は、流水システム１における流水系が便器Ｂの近傍に配設、即ち、トイレブースＲの内部に配設されている場合に適用したものである。図７の変更実施形態は、図１〜図５の実施形態に対して、操作ハンドルＶｈ及び電動駆動部２の周りをカバー９１により覆うとともに、このカバー９１に手動操作部４を設けた点が異なる。この場合、押ボタン４ｂは、カバー９１の側面に配設するとともに、この押ボタン４ｂの内端を操作ハンドルＶｈの先端に直接当接させる。したがって、押ボタン４ｂの内端側は、係合部５及び変位伝達部６を兼用する。これにより、利用者が押ボタン４ｂを押せば、押ボタン４ｂはカバー９１の内部側に押し込まれるとともに、押ボタン４ｂの内端が操作ハンドルＶｈの先端を直接押し、フラッシュバルブＶｍを開側に切換える。このように、押ボタン４ｂに、変位伝達部６及び係合部５を兼用させれば、別途の変位伝達部６及び係合部５が不要となるため、更なる構成の簡略化，省スペース化及び低コスト化に寄与できる利点がある。
【００５１】
図８は、図７に示した変更実施形態に係る流水システム１における操作ハンドルＶｈの変更例を示す。この場合、操作ハンドルＶｈの内部に軸方向の貫通孔を形成し、この貫通孔の内部に伝達軸９２を挿通させたものであり、操作ハンドルＶｈの先端から突出する伝達軸９２の一端は押ボタン４ｂの内端に当接させるとともに、伝達軸９２の他端はプッシュバー２５に当接させる。したがって、この場合、押ボタン４ｂは操作ハンドルＶｈを直接操作する機能は備えておらず、押ボタン４ｂの変位は、伝達軸９２及びプッシュバー２５を介してフラッシュバルブＶｍに伝達される。他方、図９は、図８に示した伝達軸９２を挿通させた操作ハンドルＶｈを、図１〜図５に示した実施形態に適用したものである。このような伝達軸９２を用いれば、操作ハンドルＶｈの位置に拘わらず、伝達軸９２の長さ等の変更により、フラッシュバルブＶｍに対して係合部５の位置をマッチングさせることができる利点がある。
【００５２】
図１０に示す変更実施形態は、カバー９１を付設した流水系に適用し、手動操作部４として、ツマミ４ｔを用いるとともに、手動操作機構部７を、操作ハンドルＶｈに掛けた係合部５と、この係合部５の下部から吊下げた紐（ワイヤ部材１２）を用いた変位伝達部６と、この紐の下端に取付けたツマミ４ｔを備えて構成したものであり、ツマミ４ｔは、カバー９１の底面に設けた開孔から下方に吊り下げられる。これにより、利用者は、ツマミ４ｔを手で持ち、下方へ引くことにより、操作ハンドルＶｈを下方へ回動変位させることができる。図１０に示す変更実施形態は、少ない部品点数により簡易に構成できるとともに、操作ハンドルＶｈに対する取付けも極めて容易に行うことができる。
【００５３】
以上、好適実施形態（変更実施形態）について詳細に説明したが、本発明は、このような実施形態に限定されるものではなく、細部の構成，形状，素材，数量，手法等において、本発明の要旨を逸脱しない範囲で、任意に変更，追加，削除することができる。
【００５４】
例えば、フラッシュバルブＶｍに備える既存のリターンスプリングのみを変更した場合を示したが、必要により操作ハンドルＶｈを変更することも可能である。この際、図８及び図９に示したように、貫通孔を設ける場合のみならず、形状変更，素材変更による軽量化等、各種変更が可能である。また、図１の構成において、ワイヤ部材１２の変位を伝達レバー８４を介して操作ハンドルＶｈを軸方向（水平方向）に押す態様を示したが、ワイヤ部材１２の変位を操作ハンドルＶｈの上側に配する他の形態の伝達レバーを介して当該操作ハンドルＶｈを図１０の場合と同様に下方へ回動変位させてもよい。さらに、手動操作部４として、押ボタン４ｂとツマミ４ｔを例示したが、必要によりレバー部材を用いるなど、各種の手動操作部４を用いることができる。一方、変位伝達部６として、フレキシブルなワイヤ部材１２を例示したが、リンク部材の連結など、各種伝達手段を用いることができる。
【産業上の利用可能性】
【００５５】
本発明に係る流水システムは、電動駆動部によりフラッシュバルブの操作ハンドルを操作する和式，洋式等の各種タイプの水洗トイレに利用できる。
【符号の説明】
【００５６】
１：流水システム，２：電動駆動部，３：電動操作機構部，４：手動操作部，４ｂ：押ボタン，４ｔ：ツマミ，５：係合部，６：変位伝達部，７：手動操作機構部，１１：リターンスプリング，１２：ワイヤ部材，Ｂ：便器，Ｔ：水洗トイレ，Ｖｍ：フラッシュバルブ，Ｖｈ：操作ハンドル，Ｕｃ：コントロールユニット
【図１】
2013044190.tif 000003
【図２】
2013044190.tif 000004
【図３】
2013044190.tif 000005
【図４】
2013044190.tif 000006
【図５】
2013044190.tif 000007
【図６】
2013044190.tif 000008
【図７】
2013044190.tif 000009
【図８】
2013044190.tif 000010
【図９】
2013044190.tif 000011
【図１０】
2013044190.tif 000012